(57)【特許請求の範囲】
【請求項１】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記筐体内に設けられ、前記接続手段が前記電源供給源から切離されると、前記記憶手段の記憶内容を正規の状態とは異なる状態に書換える制御手段と、
を具備したことを特徴とする携帯可能な改札処理機。
【請求項２】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記筐体内に設けられ、前記接続手段が前記電源供給源から切離されると、前記記憶手段の記憶内容を正規の状態とは異なる状態に書換える制御手段と、
前記筐体内に設けられ、前記制御手段による記憶手段の記憶内容の書換え時、前記制御手段に対して動作電源を供給する電池と、
を具備したことを特徴とする携帯可能な改札処理機。
【請求項３】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記電源部から前記各手段への電源供給をオン，オフするためのスイッチと、
前記筐体内に設けられ、前記電源供給源から前記接続手段を介して前記電源部に電源が供給されているか否かを検出する検出手段と、
前記筐体内に設けられ、前記検出手段が電源が供給されていないことを検出すると、前記記憶手段の記憶内容を正規の状態とは異なる状態に書換える第１の制御手段と、
前記筐体内に設けられ、前記第１の制御手段による記憶手段の記憶内容の書換え時、前記第１の制御手段に対して動作電源を供給する電池と、
前記筐体内に設けられ、前記スイッチがオフされた際、前記検出手段が電源が供給されていることを検出している場合、前記第１の制御手段による記憶手段の記憶内容の書換えを禁止する第２の制御手段と、
を具備したことを特徴とする携帯可能な改札処理機。
【請求項４】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記筐体内に設けられ、前記接続手段が前記電源供給源から切離されると、前記記憶手段の記憶内容を正規の状態とは異なる状態に書換える第３の制御手段と、
前記筐体内に設けられ、前記記憶手段の記憶内容が書換えられた後、前記接続手段が前記電源供給源に再度接続されると、正規の判定処理用プログラムを外部から受入れて前記記憶手段に書込む第４の制御手段と、
を具備したことを特徴とする携帯可能な改札処理機。
【請求項５】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第５の制御手段とを有する携帯可能な改札処理機と、
この改札処理機の前記出力手段から出力される前記判定手段の判定結果に応じて前記ドア駆動手段を制御する第６の制御手段と、
を具備したことを特徴とする自動改札装置。
【請求項６】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第７の制御手段と、前記筐体内に設けられ、前記第７の制御手段による記憶手段の記憶内容の書換え時、前記第７の制御手段に対して動作電源を供給する電池とを有する携帯可能な改札処理機と、
この改札処理機の前記出力手段から出力される前記判定手段の判定結果に応じて前記ドア駆動手段を制御する第８の制御手段と、
を具備したことを特徴とする自動改札装置。
【請求項７】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記電源部から前記各手段への電源供給をオン，オフするためのスイッチと、前記筐体内に設けられ、前記電源供給源から前記接続手段を介して前記電源部に電源が供給されているか否かを検出する検出手段と、前記筐体内に設けられ、前記検出手段が電源が供給されていないことを検出すると、前記記憶手段の記憶内容を正規の状態とは異なる状態に書換える第９の制御手段と、前記筐体内に設けられ、前記第９の制御手段による記憶手段の記憶内容の書換え時、前記第９の制御手段に対して動作電源を供給する電池と、前記筐体内に設けられ、前記スイッチがオフされた際、前記検出手段が電源が供給されていることを検出している場合、前記第９の制御手段による記憶手段の記憶内容の書換えを禁止する第１０の制御手段とを有する携帯可能な改札処理機と、
この改札処理機の前記出力手段から出力される前記判定手段の判定結果に応じて前記ドア駆動手段を制御する第１１の制御手段と、
を具備したことを特徴とする自動改札装置。
【請求項８】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１２の制御手段と、前記筐体内に設けられ、前記記憶手段の記憶内容が書換えられた後、前記接続手段が前記電源供給源に再度接続されると、正規の判定処理用プログラムを外部から受入れて前記記憶手段に書込む第１３の制御手段とを有する携帯可能な改札処理機と、
この改札処理機の前記出力手段から出力される前記判定手段の判定結果に応じて前記ドア駆動手段を制御する第１４の制御手段と、
を具備したことを特徴とする自動改札装置。
【発明の詳細な説明】
【０００１】
【発明の属する技術分野】
本発明は、たとえば、鉄道関係の駅において、通行者が投入する乗車券を受入れ、この受入れた乗車券から改札情報を読取って、その有効性を判定する携帯可能な改札処理機、および、この携帯可能な改札処理機を用いた自動改札装置に関する。
【０００２】
【従来の技術】
近年、たとえば、鉄道関係において、改札業務の省力化を目的として、鉄道などの施設の入場口あるいは出場口などに設けられ、施設を利用する利用者（通行者）が施設に入場あるいは出場する際、または、施設の乗換えを行なう際、通行者が投入する乗車券（記録媒体）を取込んで、その有効性を判定し、乗車券が有効であれば通行者の通過を許可し、無効であれば通路のドアを閉じて、通行者の通過を阻止する自動改札装置が導入されている。
【０００３】
【発明が解決しようとする課題】
従来の自動改札装置は、通行者が投入する乗車券を取込んで、その有効性を判定する判定処理部は、改札装置本体からは容易に分離することができず、仮に分離できたとしても、上位装置（コンピュータ）に接続して、乗車券の判定処理を行なえる機能は有していなかった。
【０００４】
したがって、自動改札装置が故障すると、その通路を閉鎖するしかなく、修理が終了するまでは使用不可能である。また、修理に行く保守員も、持ち運びにくい機械を急いで現地まで運ばなければならないので、危険が伴う。また、修理が終了するまでの間、自動改札装置は稼働できず、改札業務に支障をきたしてしまうという問題があった。
【０００５】
そこで、本発明は、持ち運びが容易で、改札装置本体に対して着脱自在であり、装着した際は自動改札装置の判定処理部として機能し、取り外した際は独立した動作が可能で、たとえば、駅の有人窓口に設置して改札業務が補完できる携帯可能な改札処理機を提供することを目的とする。
【０００６】
また、本発明は、盗難にあっても悪用されることのない携帯可能な改札処理機を提供することを目的とする。
さらに、本発明は、故障部分の着脱が容易で、保守点検がきわめて容易となり、しかも、故障した際の応急措置が容易となる自動改札装置を提供することを目的とする。
【０００７】
【課題を解決するための手段】
本発明の携帯可能な改札処理機は、携帯可能に形成された筐体と、この筐体に設けられ、記録媒体を投入する投入部および記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える制御手段とを具備している。
【０００８】
また、本発明の携帯可能な改札処理機は、携帯可能に形成された筐体と、この筐体に設けられ、記録媒体を投入する投入部および記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える制御手段と、前記筐体内に設けられ、前記制御手段による記憶手段の記憶内容の書換え時、前記制御手段に対して動作電源を供給する電池とを具備している。
【０００９】
また、本発明の携帯可能な改札処理機は、携帯可能に形成された筐体と、この筐体に設けられ、記録媒体を投入する投入部および記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、前記筐体内に設けられ、前記各手段に対して動作電源を供給する電源部と、この電源部を電源供給源に対して接続するための接続手段と、前記電源部から前記各手段への電源供給をオン，オフするためのスイッチと、前記筐体内に設けられ、前記電源供給源から前記接続手段を介して前記電源部に電源が供給されているか否かを検出する検出手段と、前記筐体内に設けられ、前記検出手段が電源が供給されていないことを検出すると、前記記憶手段の記憶内容を正規の状態とは異なる状態に書換える第１の制御手段と、前記筐体内に設けられ、前記第１の制御手段による記憶手段の記憶内容の書換え時、前記第１の制御手段に対して動作電源を供給する電池と、前記筐体内に設けられ、前記スイッチがオフされた際、前記検出手段が電源が供給されていることを検出している場合、前記第１の制御手段による記憶手段の記憶内容の書換えを禁止する第２の制御手段とを具備している。
【００１０】
また、本発明の携帯可能な改札処理機は、携帯可能に形成された筐体と、この筐体に設けられ、記録媒体を投入する投入部および記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第３の制御手段と、前記筐体内に設けられ、前記記憶手段の記憶内容が書換えられた後、前記接続手段が前記電源供給源に再度接続されると、正規の判定処理用プログラムを外部から受入れて前記記憶手段に書込む第４の制御手段とを具備している。
【００１１】
また、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第５の制御手段とを有する携帯可能な改札処理機と、この改札処理機の前記出力手段から出力される前記判定手段の判定結果に応じて前記ドア駆動手段を制御する第６の制御手段とを具備している。
【００１２】
また、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第７の制御手段と、前記筐体内に設けられ、前記第７の制御手段による記憶手段の記憶内容の書換え時、前記第７の制御手段に対して動作電源を供給する電池とを有する携帯可能な改札処理機と、この改札処理機の前記出力手段から出力される前記判定手段の判定結果に応じて前記ドア駆動手段を制御する第８の制御手段とを具備している。
【００１３】
また、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記電源部から前記各手段への電源供給をオン，オフするためのスイッチと、前記筐体内に設けられ、前記電源供給源から前記接続手段を介して前記電源部に電源が供給されているか否かを検出する検出手段と、前記筐体内に設けられ、前記検出手段が電源が供給されていないことを検出すると、前記記憶手段の記憶内容を正規の状態とは異なる状態に書換える第９の制御手段と、前記筐体内に設けられ、前記第９の制御手段による記憶手段の記憶内容の書換え時、前記第９の制御手段に対して動作電源を供給する電池と、前記筐体内に設けられ、前記スイッチがオフされた際、前記検出手段が電源が供給されていることを検出している場合、前記第９の制御手段による記憶手段の記憶内容の書換えを禁止する第１０の制御手段とを有する携帯可能な改札処理機と、この改札処理機の前記出力手段から出力される前記判定手段の判定結果に応じて前記ドア駆動手段を制御する第１１の制御手段とを具備している。
【００１４】
さらに、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１２の制御手段と、前記筐体内に設けられ、前記記憶手段の記憶内容が書換えられた後、前記接続手段が前記電源供給源に再度接続されると、正規の判定処理用プログラムを外部から受入れて前記記憶手段に書込む第１３の制御手段とを有する携帯可能な改札処理機と、この改札処理機の前記出力手段から出力される前記判定手段の判定結果に応じて前記ドア駆動手段を制御する第１４の制御手段とを具備している。
【００１９】
本発明によれば、判定処理部を分離してユニット化し、携帯可能な改札処理機として構成することにより、持ち運びが容易で、改札装置本体に対して着脱自在であり、装着した際は自動改札装置の判定処理部として機能し、取り外した際は独立した動作が可能で、たとえば、駅の有人窓口に設置して改札業務が補完できる。
【００２０】
また、本発明によれば、当該改札処理機を電源供給源に対して接続するための接続手段が電源供給源から切離されると（たとえば、電源プラグが電源コンセントから引き抜かれると）、自動的に記憶手段に記憶されている判定処理用プログラムを正規の状態とは異なる状態に書換えることにより、盗難にあっても、当該改札処理機を使用して記録媒体の改竄や偽造に悪用されることなどを防止できる。
【００２１】
また、本発明によれば、比較的に故障頻度の多い判定処理部を分離してユニット化し、自動改札装置本体に対して着脱自在な構成とすることにより、故障部分の着脱が容易で、保守点検がきわめて容易となる。
【００２２】
また、たとえば、自動改札装置として正常に稼働中にも、あらかじめ有人窓口にも上記ユニット化した判定処理部（改札処理機）と同様な改札処理機を稼働させておき、自動改札装置の改札処理機が故障した場合、応急措置として有人窓口で稼働していた改札処理機を自動改札装置本体に交換取付けして稼働させることが可能となる。したがって、自動改札装置と有人窓口の業務を互いに補完することができる。
【００２３】
【発明の実施の形態】
以下、本発明の実施の形態について図面を参照して詳細に説明する。
図１は、本実施の形態に係る自動改札システムの構成を概略的に示すものである。複数（たとえば、１〜６号機までの６台）の自動改札装置１，…は、たとえば、駅の改札口などにそれぞれ設置されていて、通信ケーブル２を介して上位装置としてのホストコンピュータ３にそれぞれ電気的に接続されている。
【００２４】
図２は、たとえば、駅の改札口における自動改札装置１の設置状態例を模式的に示している。自動改札装置１は、通常、２台１組として駅の改札口に設置されて、一方が入口機、他方が出口機として用いられ、両者の間に通行者が通行する改札用の通路４，５，６が形成される。
【００２５】
なお、図２において、７は有人窓口通路、８は有人窓口のある駅事務所、９は駅事務所８内の有人窓口の係員である。また、駅事務所８内には、前記ホストコンピュータ３が設置されている。
【００２６】
図３は、自動改札装置１の構成を概略的に示すものである。図３において、自動改札装置本体１１の上部には、判定処理部を分離してユニット化した携帯可能な改札処理機１２が着脱自在に装着されている。改札処理機１２は、通行者が投入する改札情報が記録された記録媒体、たとえば、有効期間や利用区間などの改札情報が磁気エンコード記録された磁気式の乗車券（定期券、普通乗車券、回数券、ストアードフェアカードなど）Ｐを取込み、搬送しながら有効性を判定し、判定した後に外部へ排出するもので、詳細は後述する。
【００２７】
本体１１上の出口側には、通行者や駅員などに対して案内を行なうための案内表示部１３が設けられている。また、図示しないが、本体１１の通路側の側面には、乗車券の有効性判定の結果や通行者に対する案内指示を音声で行なうための音声案内用スピーカが設けられている。
【００２８】
本体１１の通路側の側面の両端部には、それぞれ通行者の通行を制御する通行制御手段としての開閉動作可能なドア１４，１４が設けられている。ドア１４，１４は、改札処理機１２からの判定結果に基づき動作するドア駆動手段としてのドア駆動機構１５，１５により開閉制御されるようになっている。
【００２９】
本体１１の上部には、通行者の通路を定義するための枠状のポール部（枠体）１６が立設されている。そして、ポール部１６および本体１１の各通路側の側面には、通行者を検知する検知手段としての複数の光学的なセンサ、すなわち、出口検知器１７，１８、進入検知器１９，２０、および、中央通過検知器２１がそれぞれ設けられている。上記各検知器１７〜２１は、たとえば、赤外線センサなどが用いられている。
【００３０】
ポール部１６上には、本装置の動作状態（小児券の投入、無効券の投人や機器の異常など）を表示する状態表示部２２が設けられている。
改札処理機１２の取出口３３側端部の下方には、乗車券Ｐを回収するための集札箱２９が設けられていて、この集札箱２９に改札処理機１２から排出される乗車券Ｐを回収するようになっている。
【００３１】
改札処理機１２、案内表示部１３、ドア駆動機構１５，１５、および、状態表示部２２は、それぞれインタフェイスケーブル２３を介して本体側の制御部２４に接続されていて、改札処理機１２から出力される判定結果に応じてドア駆動機構１５，１５などが制御されるようになっている。制御部２４は、電源部２５から動作電源が供給される。
【００３２】
図４は、改札処理機１２の構成を概略的に示すものである。図４において、携帯可能に形成された筐体３１の上面の一端部には、乗車券Ｐが投入される投入部としての投人口３２が設けられ、他端部には、投人口３２から受入れた乗車券Ｐを排出する受取部としての取出口３３が設けられている。なお、投人口３２には、そこを必要に応じて開閉するシャッタ（図示しない）が設けられている。
【００３３】
筐体３１内の投人口３２と取出口３３との間には、投入口３２から受入れた乗車券Ｐを取出口３３へ搬送する搬送手段としての搬送路３４が形成されている。搬送路３４は、取出口３３の手前で分岐されていて、この分岐部には振分けフラッパ７１が設けられている。振分けフラッパ７１は、処理し終わった乗車券Ｐを機外へ放出する場合は取出口３３側へ導き、集札する場合は集札搬送路７２へ導くようになっている。集札搬送路７２の搬出端は、筐体３１の底部に形成された放出口７３に配置されていて、搬送してきた集札する乗車券Ｐを、この放出口７３から集札箱２９へ放出するようになっている。
【００３４】
搬送路３４には、投人口３２から取出口３３に向かって顧次、乗車券Ｐの磁気記録部に対して磁気情報（改札情報など）の読取りや書込みを行なうための磁気へッド３５，３６、乗車券Ｐが普通乗車券の場合にパンチ孔を開けるパンチ部３７、および、乗車券Ｐの表面に対して所定の印刷を行なうための印刷部３８などが設けられている。
【００３５】
各磁気ヘッド３５，３６には、搬送路３４として所定の間隔をあけ、かつ、それぞれの間隔を保持するように、それぞれ回転ローラ３９，４０が相対向して設けられている。ここに、磁気ヘッド３５は、乗車券Ｐがその磁気記録部を下にした状態で投入された際に用いられ、磁気へッド３６は、乗車券Ｐがその磁気記録部を上にした状態で投入された際に用いられるようになっている。
【００３６】
なお、磁気ヘッド３５，３６による乗車券Ｐの磁気記録部に対する磁気情報の読取りや書込みは、取込んだ乗車券Ｐを磁気ヘッド上を図示矢印方向に往復移動（図面に対して左右に往復移動）させながら行なうようになっている。
【００３７】
投入口３２には、乗車券Ｐを受入れたことを検知する検知器４１が、取出口３３には、乗車券Ｐを排出したことを検知する検知器４２が、それぞれ設けられている。また、搬送路３４の磁気ヘッド３５，３６の前後には、それぞれ搬送される乗車券Ｐの通過を検知する検知器４３，４４が設けられていて、これら検知器４１〜４４の各出力に基づき乗車券Ｐの搬送状態（券づまりなど）などを検出するようになっている。
【００３８】
改札処理機全体の制御を司る制御部４５は、本体１１側の検知器１７〜２１の各出力および磁気ヘッド３５，３６の各出力に基づき乗車券Ｐの有効性の判定を行なうとともに、搬送路３４、パンチ部３７および印刷部３８の駆動制御、検知器４１〜４４の各出力に基づく券づまり検出などを行なう。また、制御部４５は、本体１１側の制御部２４やホストコンピュータ３との間でデータの送受信などをも行なうようになっている。制御部４５は、電源部４６から動作電源が供給される。
【００３９】
制御部４５には、動作状態などをモニタするためのモニタパネル４７、本体１１側の制御部２４とのインタフェイス用のコネクタ４８、および、ホストコンピュータ３とのインタフェイス用のコネクタ４９がそれぞれ接続されている。コネクタ４８にはインタフェイスケーブル２３が接続され、コネクタ４９にはインタフェイスケーブル２６（図１のケーブル２に相当）を介してホストコンピュータ３が接続されている。
【００４０】
図５は、改札処理機１２における制御部４５および電源部４６の構成を詳細に示すものである。すなわち、電源部４６には、電源ケーブル５１を介して接続手段としての電源プラグ５２が接続されていて、この電源プラグ５２が電源供給源としての図示しない電源コンセントに差し込むことにより、商用交流電源が供給されるようになっている。
【００４１】
電源部４６は、入力される商用交流電圧を所定の直流電圧に変換し、その直流電圧を動作電源として制御部４５に供給するものである。また、電源部４６内には、バックアップ用のバッテリ（電池）５３が設けられていて、このバッテリ５３の出力も動作電源として制御部４５に供給されるようになっている。
【００４２】
電源部４６には、電源スイッチ５４が接続されていて、この電源スイッチ５４をオン，オフすることにより、電源部４６の出力をオン，オフできるようになっている。
【００４３】
次に、制御部４５について説明する。検出手段としての電源入力検出回路５５には、電源ケーブル５１が接続されている。これにより、電源入力検出回路５５は、商用交流電源が入力されているか否か（すなわち、電源プラグ５２が電源コンセントに差し込まれているか否か）を検出するようになっている。なお、電源入力検出回路５５は、バッテリ５３の出力電圧によって動作するようになっている。
【００４４】
電源入力検出回路５５の出力信号は、動作電源切換回路５６に送られる。動作電源切換回路５６は、電源入力検出回路５５が商用交流電源の入力を検出しているときは、電源部４６の出力を選択して動作電源として制御回路５７に供給し、電源入力検出回路５５が商用交流電源の入力遮断を検出すると、バッテリ５３の出力電圧を選択して動作電源として制御回路５７に供給するようになっている。なお、電源入力検出回路５５は、バッテリ５３の出力電圧によって動作するようになっている。
【００４５】
制御回路５７は、全体的な制御を司るＣＰＵ（セントラル・プロセッシング・ユニット）５８、これに接続される記憶手段としての不揮発性メモリ（たとえば、ＲＯＭ）５９、記憶手段としての揮発性メモリ（たとえば、ＲＡＭ）６０、伝送制御部６１、および、インタフェイス部６２から構成されている。
【００４６】
不揮発性メモリ５９には、上位装置としてのホストコンピュータ３からＣＰＵ５８の制御用プログラムをダウンロードする処理を行なうための最小限のダウンロード用プログラムが記憶されており、ＣＰＵ５８は、このプログラムにしたがって上記処理を行なうようになっている。
【００４７】
揮発性メモリ６０には、ＣＰＵ５８の制御用プログラムや判定用データなどが記憶されており、ＣＰＵ５８は、この制御用プログラムや判定用データ（駅デーや運賃データなど）にしたがって乗車券Ｐの有効性判定処理を行なうとともに、各種制御（各部の駆動制御、券づまり検出など）を行なうようになっている。
【００４８】
伝送制御部６１は、本体１１側の制御部２４や上位装置としてのホストコンピュータ３との間でデータの送受信などを行なうためのもので、コネクタ４８，４９がそれぞれ接続されている。
【００４９】
インタフェイス部６２には、搬送路３４、磁気ヘッド３５，３６、パンチ部３７、印刷部３８、検知器４１〜４４、および、モニタパネル４７など、各種外部機器が接続されている。
【００５０】
次に、このような構成において作用を説明する。
上記したような構成により、改札処理機１２は、図３に示したように、それ以外の本体１１内の制御系とはインタフェイスケーブル２３によって接続されるのみで、取付け、取外しは容易である。
【００５１】
また、改札処理機１２は、本体１１から取外すと、それ自体がユニット化されているため、持ち運びが容易で、たとえば、机上などにおいて、電源プラグ５２を電源コンセントに差し込み、ホストコンピュータ３とのインタフェイスケーブル２６を接続して、電源スイッチ５４をオンすれば、本体１１に装着したときと同様な乗車券Ｐの判定処理が行なえる。
【００５２】
このように、自動改札装置１を構成することで、図２に示したような駅構成を形成することができる。すなわち、今、たとえば、通路４の自動改札装置１で故障が発生すると、その故障部位が改札処理機１２以外の部分、たとえば、ドア１４，１４、ドア駆動機構１５，１５、検知器１７〜２１、状態表示部２２、制御部２４、電源部２５のいずれかであったとする。すると、通路４を閉鎖し、一時的に２通路状態となり、図６の状態ａとなる。
【００５３】
しかし、保守員が遠隔地から到着する前に、駅の係員（図２の符号９）によって、改札処理機１２が本体１１から取外され、図２における駅事務所８内の位置Ａに置かれ、ホストコンピュータ３に接続され、電源プラグ５２を電源コンセントに差し込み、電源を供給することにより、業務稼働状態となる。この状態が図６の状態ｂとなる。この間は、有人窓口通路７において、係員９の手により一時的に通路４の代行業務が可能となる。
【００５４】
また、改札処理機１２が故障したとする。この場合は、係員９の手により通路４が一時的に閉鎖されるが、図２における駅事務所８内の位置Ｂに、あらかじめ後方業務用として別の改札処理機１２を用意しておくことにより、その改札処理機１２を通路４の故障した自動改札装置１に対して交換装着する。この際は、インタフェイスケーブル２３，２６を接続するだけで稼働状態となり、図６の状態ｂに入れるため、３通路稼働が確保できる。
【００５５】
次に、このような構成において要部の動作について図７に示すフローチャートを参照して説明する。
通常、改札処理機１２の電源部４６には、電源プラグ５２を電源コンセントに差し込むことにより、商用交流電源（ＡＣ１００Ｖ）が供給されている。この状態において、いま電源プラグ５２を電源コンセントから引き抜くと、電源入力検出回路５５がそれを検出し、ＣＰＵ５８に対して割込信号を与える。同時に、動作電源切換回路５６が作動し、瞬時に制御回路５７が動作する電源をバッテリ５３から供給するように切換える。
【００５６】
割込信号を受付けたＣＰＵ５８は、揮発性メモリ６０の記憶内容（制御用プログラム）を正規の状態とは異なる状態、たとえば、プログラムコードとして意味のない値に書替える。たとえば、記憶内容を全て「０」にしたり、全て「１」にしたりする。すなわち、プログラムの破壊処理を行なうものである。
【００５７】
揮発性メモリ６０には、前述したように制御に係る主要なプログラムや判定用データなどが記憶されていて、上記のように書替えられると、次に電源が再投入されても機能、動作が全く行なわれない。この処理は、数ミリ秒から数１０ミリ秒の間に完了するので、その間の動作電源を確保するバッテリ５３の容量は比較的小容量でよい。
【００５８】
なお、揮発性メモリ６０の記憶内容は、必ずしも全て書換える必要がなく、すくなくとも乗車券Ｐの有効性を判定するための判定用プログラムを正規の状態とは異なる状態に書換えればよい。
【００５９】
次に、正規のシステム構成で電源が投入され、立上げられた場合の動作について図７に示すフローチャートを参照して説明する。不揮発性メモリ５９には、前述したように、ホストコンピュータ３からプログラムをダウンロードするための最小限のプログラムが記憶されて保持されている。
【００６０】
まず、改札処理機１２のコネクタ４９をケーブル２６を介してホストコンピュータ３に接続する。次に、改札処理機１２の電源プラグ５２を再び電源コンセントに差し込み、電源スイッチ５４をオンすることにより、電源入力検出回路５５がそれを検出し、動作電源切換回路５６が作動し、制御回路５７が動作する電源を電源部４６から供給するように切換える。
【００６１】
こうして、電源がオンされると、ＣＰＵ５８は、不揮発性メモリ５９に記憶されたプログラムを実行することにより、伝送制御部６１、コネクタ４９およびケーブル２６を介してホストコンピュータ３からＣＰＵ５８の制御用プログラムをダウンロードし、揮発性メモリ６０に格納（記憶）する。プログラムのダウンロードが終了すると、ＣＰＵ５８は、揮発性メモリ６０に格納された制御用プログラムに基づく動作の実行に移行し、稼働状態にする。
【００６２】
このような動作により、改札処理機１２が盗難された場合の悪用防止が図られる。すなわち、本体１１から改札処理機１２を取り外して持ち運んだ場合、改札処理機１２が盗難される危険性がある。改札処理機１２は、それ自体で媒体処理機能を有するため、その動作を解析されて悪用されることにより、乗車券Ｐの偽造や改竄が行なわれてしまったり、内部メモリ（図５のメモリ５９，６０）の内容を読出すことにより、判定用プログラムなどを解読されて、悪用される危険性もある。
【００６３】
しかし、上記したような動作により、改札処理機１２の電源プラグ５２が電源コンセントから引き抜かれ、電源供給が遮断されると、瞬時にそれを検出して、自動的に揮発性メモリ６０に格納された制御用プログラムを破壊せしめるので、そのような悪用を確実に防止することができ、セキュリティ性に優れたものとなる。
【００６４】
なお、電源スイッチ５４がオフされても、電源が供給されている限り、前述したようなプログラムの破壊処理は行なわないようになっている。すなわち、ＣＰＵ５８は、電源スイッチ５４のオン，オフ状態、および、電源入力検出回路５５の出力をそれぞれ監視しており、電源スイッチ５４がオフされて、電源部４６からの電源の供給が遮断されても、そのとき電源入力検出回路５５が電源の入力を検出していれば、揮発性メモリ６０の記憶内容を書換える動作を行なわないよう、書換え動作を禁止する制御を行なう。
【００６５】
以上説明したように、上記実施の形態によれば、以下のような作用効果が期待できる。
すなわち、従来では、前述したように、自動改札装置が故障すると、その通路は閉鎖するしかなく、その結果、改札通路の数が減少することになり、通行者の通行が混雑することになる。混雑は怪我などの事故につながる危険もある。また、故障して閉鎖している時間が長いと、より上記の危険が増大することになる。
【００６６】
そこで、上記実施の形態のように、判定処理部を分離してユニット化することにより、そのユニット化した改札処理機以外が故障した場合、その改札処理機を自動改札装置本体から取り外して有人窓口に設置することにより、改札業務が補充でき、混雑が緩和できる。
【００６７】
しかも、有人窓口通路においても、ＳＦ（ストアードフェア）カードや入場駅記録式回数券などの処理が行なえるため、下車駅での未入場券処理を行なったり、判定アウトとなって通行者に迷惑がかかることがない。
【００６８】
また、分離してユニット化した改札処理機は、駅事務所内に置いて後方業務として媒体検査機としても使用可能とし、自動改札装置と併行して稼働していた場合に、自動改札装置に装着されている改札処理機が故障したら、一時的に後方業務を停止させて、その改札処理機を故障した自動改札装置に交換取り付けすることで、自動改札装置を早期に復旧できる。この場合、後方業務は一時停止するが、頻繁に使用する主要業務ではないので、出改札業務に致命的な影響を与えない。しかも、保守用に予備ユニットを駅に常備する必要がなく、置き場スペースを余分にとる必要もない。
【００６９】
さらに、上記の交換復旧作業は、専門の保守員が到着する前に、専門知識のない駅の係員でも行なうことができるので、故障時における改札通路の閉鎖時間を著しく短縮できる。そして、故障した改札処理機を修理する際は、改札通路で長時間作業する必要がなく、駅事務所内などで作業可能となるので、作業者の危険、疲労などの不都合が解消できる。
【００７０】
また、改札処理機の電源プラグが電源コンセントから引き抜かれ、電源供給が遮断されると、瞬時にそれを検出して、自動的に揮発性メモリに格納された制御用プログラムを破壊せしめるので、当該改札処理機が盗難にあっても、当該改札処理機を使用して乗車券の改竄や偽造などに悪用されることを防止できる。
【００７１】
【発明の効果】
以上詳述したように本発明によれば、持ち運びが容易で、改札装置本体に対して着脱自在であり、装着した際は自動改札装置の判定処理部として機能し、取り外した際は独立した動作が可能で、たとえば、駅の有人窓口に設置して改札業務が補完できる携帯可能な改札処理機を提供できる。
【００７２】
また、本発明によれば、盗難にあっても悪用されることのない携帯可能な改札処理機を提供できる。
さらに、本発明によれば、故障部分の着脱が容易で、保守点検がきわめて容易となり、しかも、故障した際の応急措置が容易となる自動改札装置を提供できる。
【図面の簡単な説明】
【図１】本発明の実施の形態に係る自動改札システムの構成を概略的に示すブロック図。
【図２】駅の改札口における自動改札装置の設置状態例を模式的に示す図。
【図３】自動改札装置の構成を模式的に示す構成図。
【図４】改札処理機の構成を模式的に示す構成図。
【図５】改札処理機における制御部および電源部の構成を詳細に示すブロック図。
【図６】自動改札装置に係る業務手順の状態遷移を説明するための図。
【図７】要部の動作を説明するためのフローチャート。
【符号の説明】
１……自動改札装置、２……通信ケーブル、３……ホストコンピュータ（上位装置）、４，５，６……通路、７……有人窓口通路、８……駅事務所、９……係員、１１……自動改札装置本体、１２……改札処理機、１４……ドア、１５……ドア駆動機構（ドア駆動手段）、１７〜２１……検知器（通行者検知手段）、２４……制御部（制御手段）、Ｐ……乗車券（記録媒体）、３１……筐体、３２……投入口（投入部）、３３……取出口（受取部）、３４……搬送路（搬送手段）、３５，３６……磁気ヘッド（読取手段）、４５……制御部、４６……電源部、５１……電源ケーブル、５２……電源プラグ（接続手段）、５３……バッテリ（電池）、５４……電源スイッチ、５５……電源入力検出回路（検出手段）、５６……動作電源切換回路、５７……制御回路（判定手段、制御手段）、５８……ＣＰＵ、５９……不揮発性メモリ、６０……揮発性メモリ（記憶手段）、６１……伝送制御部。
【図１】
0003771980.tif 000002
【図２】
0003771980.tif 000003
【図３】
0003771980.tif 000004
【図４】
0003771980.tif 000005
【図５】
0003771980.tif 000006
【図６】
0003771980.tif 000007
【図７】
0003771980.tif 000008